(57)【要約】【課題】外来ノイズがある場合でも、正規の要求信号を正しく判定できる通信システムを提供する。【解決手段】基地局１０がバースト信号の時間が前記ウェイクコード信号の時間よりも長い第１の要求信号を出力する。携帯機器２０が、ノイズにより動作を開始しても、バースト信号送信時間ｔ１期間内にウェイクコード信号判定処理を一旦終了し、再度バースト信号受信を開始する。【選択図】図１
2008211574.tif 000002
【特許請求の範囲】
【請求項１】
少なくともバースト信号と当該バースト信号に続くコード信号を含む要求信号を送受信装置へ送信する基地局であって、
前記要求信号を前記送受信装置へ送信する送信部と、
前記送受信装置より前記要求信号に応じた返答信号を受信する受信部と、
前記要求信号を前記送信部へ出力するとともに、前記返答信号が前記受信部を介して入力される制御部と、を備え、
前記制御部は、前記バースト信号の送信時間が、前記コード信号の送信時間よりも長く設定された要求信号である第１の要求信号を出力する基地局。
【請求項２】
請求項１記載の基地局であって、
前記制御部は、前記バースト信号の送信時間が、前記送受信装置における前記コード信号の受信待ち時間であるタイムアウト時間よりも長く設定され、かつ前記コード信号の送信時間が前記タイムアウト時間より短く設定された要求信号である第１の要求信号を出力する基地局。
【請求項３】
請求項２記載の基地局であって、
前記制御部は、前記バースト信号の送信時間が、前記タイムアウト時間よりも短く設定された要求信号である第２の要求信号を出力し、当該第２の要求信号を送信した後予め定められた時間内に返答信号を検出しなかった場合に、前記第１の要求信号を出力する基地局。
【請求項４】
少なくともバースト信号と当該バースト信号に続くコード信号を含む要求信号を基地局から受信する送受信装置であって、
第１の受信アンテナと、
第２の受信アンテナと、
前記第１の受信アンテナと前記第２の受信アンテナを介して前記要求信号を受信する受信部と、を備え、当該受信部は、前記第１の受信アンテナ及び前記第２の受信アンテナにより受信された信号の信号レベルを検出し、当該信号レベルの大きいいずれかを選択するアンテナ切替部と、前記アンテナ切替部によって選択された前記第１の受信アンテナ及び前記第２の受信アンテナのいずれかにより受信された信号の判定を行なうコード信号判定部とを含み、
前記バースト信号の送信時間が、前記送受信装置における前記コード信号の受信待ち時間であるタイムアウト時間よりも長く設定され、
前記第２の受信アンテナが外部からの不要信号を受信することにより、前記アンテナ切替部は前記第２の受信アンテナを選択し、前記受信部は前記バースト信号を受信するモードへ移行し、
前記外部からの不要信号の中断に基づき、前記受信部は前記コード信号を受信するモードへ移行し、
前記コード信号を受信するモードへの移行時から前記タイムアウト時間の経過後、前記受信部は前記バースト信号を受信するモードへ移行し、
前記第１の受信アンテナが前記バースト信号を受信することにより、前記アンテナ切替部は前記第１の受信アンテナを選択する、
送受信装置。
【請求項５】
少なくともバースト信号と当該バースト信号に続くコード信号を含む要求信号を送信する基地局と、前記要求信号を受信し、受信モードを変更する送受信装置と、から構成される通信システムであって、
前記基地局は、前記バースト信号の送信時間が、前記コード信号の送信時間よりも長く設定された要求信号である第１の要求信号を前記送受信装置へ送信し、
前記コード信号を受信するモードに設定された前記送受信装置が、前記タイムアウト時間の経過に基づき、前記バースト信号を受信するモードに移行する、
通信システム。
【請求項６】
請求項５記載の通信システムであって、
前記基地局は、前記バースト信号の送信時間が、前記送受信装置における前記コード信号の受信待ち時間であるタイムアウト時間よりも長く設定され、かつ前記コード信号の送信時間が前記タイムアウト時間より短く設定された要求信号である第１の要求信号を出力する通信システム。
【請求項７】
請求項６記載の通信システムであって、
前記基地局は、前記バースト信号の送信時間が、前記タイムアウト時間よりも長く設定された要求信号である第２の要求信号を出力し、当該第２の要求信号を送信した後予め定められた時間内に返答信号を検出しなかった場合に、前記第１の要求信号を出力する通信システム。
【請求項８】
基地局と送受信装置の間で通信を行う通信方法であって、
前記基地局が、
バースト信号と当該バースト信号に続くコード信号を含み、当該バースト信号の送信時間が、前記コード信号の送信時間よりも長く設定された要求信号である第１の要求信号を前記送受信装置へ送信するステップを実行し、
前記送受信装置が、
外部からの不要信号に基づき、前記バースト信号を受信するモードへ移行するステップと、
前記外部からの不要信号の中断に基づき、前記コード信号を受信するモードへ移行するステップと、
前記第１の要求信号を受信するステップと、
を実行する通信方法。
【請求項９】
請求項８記載の通信方法であって、
前記基地局は、前記バースト信号の送信時間が、前記送受信装置における前記コード信号の受信待ち時間であるタイムアウト時間よりも長く設定され、かつ前記コード信号の送信時間が前記タイムアウト時間より短く設定された要求信号である第１の要求信号を出力するステップを実行し、
前記送受信装置が、前記コード信号を受信するモードへの移行時から前記タイムアウト時間の経過後、前記バースト信号を受信するモードへ移行するステップを実行する通信方法。
【請求項１０】
請求項９に記載の通信方法であって、
前記基地局が、前記第１の要求信号を前記送受信装置へ送信する前に、コード信号と当該コード信号に先立つバースト信号とを含み、当該バースト信号の送信時間が前記送受信装置における前記コード信号の受信待ち時間であるタイムアウト時間よりも短く設定された要求信号である第２の要求信号を前記送受信装置へ送信するステップをさらに実行する通信方法。
【発明の詳細な説明】
【技術分野】
【０００１】
本発明は、基地局と送受信装置との間で通信する通信システムと、これに用いる基地局及び送受信装置ならびにこれらに用いる通信方法に関するものである。
【背景技術】
【０００２】
最近、車両に取付けられた基地局と運転者が持つ送受信装置としての携帯機器（キー）の間での情報のやりとりによって、自動的に車両のドアを開けたりエンジンを起動したりするように制御する通信システムを搭載する車両が増えつつある。このような車両に搭載している通信システムは、車に設けられた基地局と、運転者が持つ携帯機器の間での情報のやり取りに際し、基本的にまずバースト信号により、携帯機器が起動準備に入り、その後ウェイクコード信号が判別されると、本格的に起動する。
【０００３】
このような通信システムとして、例えば、特許文献１に開示されたシステムがあり、このシステムは、非認定者が車両のエンジンを起動するのを防ぐものである。当該通信システムにおいては、車内にある制御装置は、車内の起動ボタンが押されると問い合わせ信号（要求信号）を送信し、次に認定者が持つ遠隔制御装置が送信する識別コード・グループをチェックする。識別コード・グループが所定のコード・グループと一致するときだけ、通信システムはエンジンの起動を許可する。また、遠隔制御装置の受信アンテナに接続する信号検出器はハイ値とロー値に切り替わる反応しきい値レベルを有する。この信号検出器は、問い合わせ信号レベルが所定の反応しきい値より高いときだけ問い合わせ信号を中継して次の処理段階に送る。
【特許文献１】特開２００１−３５４１１７号公報
【発明の開示】
【発明が解決しようとする課題】
【０００４】
しかしながら、従来の通信システムにおいては、携帯機器は常時要求信号の有無を監視し、要求信号の受信を開始すると、要求信号に含まれるバースト信号を判定する。バースト信号の判定後、携帯機器は起動を準備し、ウェイクコードを受信するモードに入ることになっている。従って、携帯機器が外来ノイズをバースト信号と誤信した場合、ウェイクコードを受信するモードに入ってしまい、その後に正規のバースト信号を受信しても当該バースト信号をうまく判定できないという問題があった。
【０００５】
本発明は、従来の問題を解決するためになされたもので、外来ノイズがある場合でも、正規の要求信号を正しく判定できる通信システムを提供するとともに、これに用いる基地局及び携帯機器ならびにこれらに用いる通信方法を提供することを目的とする。
【課題を解決するための手段】
【０００６】
本発明の基地局は、少なくともバースト信号と当該バースト信号に続くコード信号を含む要求信号を送受信装置へ送信する基地局であって、前記要求信号を前記送受信装置へ送信する送信部と、前記送受信装置より前記要求信号に応じた返答信号を受信する受信部と、前記要求信号を前記送信部へ出力するとともに、前記返答信号が前記受信部を介して入力される制御部と、を備え、前記制御部は、前記バースト信号の送信時間が、前記コード信号の送信時間よりも長く設定された要求信号である第１の要求信号を出力する。
【０００７】
この構成により、ノイズがある環境下であっても送受信装置側が正しく受信できるように要求信号を送信することができる。
【０００８】
また、本発明の基地局においては、前記制御部は、前記バースト信号の送信時間が、前記送受信装置における前記コード信号の受信待ち時間であるタイムアウト時間よりも長く設定され、かつ前記コード信号の送信時間が前記タイムアウト時間よりも短く設定された要求信号である第１の要求信号を出力する。
【０００９】
この構成により、ノイズがある環境下であっても送受信装置側が正しく受信できるように要求信号を送信することができる。
【００１０】
また、本発明の基地局は、前記制御部が、前記バースト信号の送信時間が、前記タイムアウト時間よりも短く設定された要求信号である第２の要求信号を出力し、当該第２の要求信号を送信した後予め定められた時間内に返答信号を検出しなかった場合に、前記第１の要求信号を出力するよう構成してもよい。
【００１１】
この構成により、ノイズが少ない環境下では高速かつ少ない電力で動作し、ノイズが大きい環境化でバースト信号を長くした要求信号を送信し、ノイズが大きい環境化でも確実に誤動作を防止することができる。
【００１２】
本発明の送受信装置は、少なくともバースト信号と当該バースト信号に続くコード信号を含む要求信号を基地局から受信する送受信装置であって、第１の受信アンテナと、第２の受信アンテナと、前記第１の受信アンテナと前記第２の受信アンテナを介して前記要求信号を受信する受信部と、を備え、当該受信部は、前記第１の受信アンテナ及び前記第２の受信アンテナにより受信された信号の信号レベルを検出し、当該信号レベルの大きいいずれかを選択するアンテナ切替部と、前記アンテナ切替部によって選択された前記第１の受信アンテナ及び前記第２の受信アンテナのいずれかにより受信された信号の判定を行なうコード信号判定部とを含み、前記バースト信号の送信時間が、前記送受信装置における前記コード信号の受信待ち時間であるタイムアウト時間よりも長く設定され、前記第２の受信アンテナが外部からの不要信号を受信することにより、前記アンテナ切替部は前記第２の受信アンテナを選択し、前記受信部は前記バースト信号を受信するモードへ移行し、前記外部からの不要信号の中断に基づき、前記受信部は前記コード信号を受信するモードへ移行し、前記コード信号を受信するモードへの移行時から前記タイムアウト時間の経過後、前記受信部は前記バースト信号を受信するモードへ移行し、前記第１の受信アンテナが前記バースト信号を受信することにより、前記アンテナ切替部は前記第１の受信アンテナを選択する。
【００１３】
この構成により、ノイズの如き外部からの不要信号がある環境下であっても要求信号を正しく受信することができる。
【００１４】
本発明の通信システムは、少なくともバースト信号と当該バースト信号に続くコード信号を含む要求信号を送信する基地局と、前記要求信号を受信し、受信モードを変更する送受信装置と、から構成される通信システムであって、前記基地局は、前記バースト信号の送信時間が、前記コード信号の送信時間よりも長く設定された要求信号である第１の要求信号を前記送受信装置へ送信し、前記コード信号を受信するモードに設定された前記送受信装置が、前記タイムアウト時間の経過に基づき、前記バースト信号を受信するモードに移行する。
【００１５】
この構成により、ノイズがある環境下であっても基地局と送受信装置とは正しく通信することのできる通信システムを提供することができる。
【００１６】
また、本発明の通信システムにおいては、前記基地局は、前記バースト信号の送信時間が、前記送受信装置における前記コード信号の受信待ち時間であるタイムアウト時間よりも長く設定され、かつ前記コード信号の送信時間が前記タイムアウト時間より短く設定された要求信号である第１の要求信号を出力する。
【００１７】
この構成により、ノイズがある環境下であっても基地局と送受信装置とは正しく通信することのできる通信システムを提供することができる。
【００１８】
また、本発明の通信システムは、前記基地局が、前記バースト信号の送信時間が、前記タイムアウト時間よりも長く設定された要求信号である第２の要求信号を出力し、当該第２の要求信号を送信した後予め定められた時間内に返答信号を検出しなかった場合に、前記第１の要求信号を出力するよう構成してもよい。
【００１９】
この構成により、ノイズが少ない環境下では高速かつ少ない電力で動作し、ノイズが大きい環境化でバースト信号を長くした要求信号を送信し、ノイズが大きい環境化でも確実に誤動作を防止することができる。
【００２０】
さらに本発明の通信方法は、基地局と送受信装置の間で通信を行う通信方法であって、前記基地局が、バースト信号と当該バースト信号に続くコード信号を含み、前記バースト信号の送信時間が、前記コード信号の送信時間よりも長く設定された要求信号である第１の要求信号を前記送受信装置へ送信するステップを実行し、前記送受信装置が、外部からの不要信号に基づき、前記バースト信号を受信するモードへ移行するステップと、前記外部からの不要信号の中断に基づき、前記コード信号を受信するモードへ移行するステップと、前記第１の要求信号を受信するステップと、を実行する。
【００２１】
この手順により、ノイズの如き外部からの不要信号がある環境下であっても基地局と送受信装置とは正しく通信することのできる通信方法を提供することができる。
【００２２】
本発明の通信方法においては、前記基地局は、前記バースト信号の送信時間が、前記送受信装置における前記コード信号の受信待ち時間であるタイムアウト時間よりも長く設定され、かつ前記コード信号の送信時間が前記タイムアウト時間より短く設定された要求信号である第１の要求信号を出力するステップを実行し、前記送受信装置が、前記コード信号を受信するモードへの移行時から前記タイムアウト時間の経過後、前記バースト信号を受信するモードへ移行するステップを実行する。
【００２３】
この手順により、ノイズの如き外部からの不要信号がある環境下であっても基地局と送受信装置とは正しく通信することのできる通信方法を提供することができる。
【００２４】
また、本発明の通信方法では、前記基地局が、前記第１の要求信号を前記送受信装置へ送信する前に、コード信号と当該コード信号に先立つバースト信号とを含み、当該バースト信号の送信時間が前記送受信装置における前記コード信号の受信待ち時間であるタイムアウト時間よりも短く設定された要求信号である第２の要求信号を前記送受信装置へ送信するステップをさらに実行するようにしてもよい。
【００２５】
この手順により、ノイズが少ない環境下では高速かつ少ない電力で動作し、ノイズが大きい環境化でバースト信号を長くした要求信号を送信し、ノイズが大きい環境化でも確実に誤動作を防止することができる。
【発明の効果】
【００２６】
本発明は、外来ノイズの如き外部からの不要信号がある場合でも、正規の要求信号を正しく判定できる通信システム、これに用いる基地局及び送受信装置ならびにこれらに用いる通信方法を提供する。
【発明を実施するための最良の形態】
【００２７】
以下、本発明の実施形態の通信システムについて、図面を用いて説明する。
【００２８】
（第１の実施形態）
本発明の第１の実施形態の通信システムを図１に示す。
【００２９】
図１において、通信システム１は、車両に設けられた基地局１０と、運転者が持つ携帯機器２０とを有する構成である。また、この通信システム１に対する外来ノイズ源としてノイズ源３０が通信システム１の近傍に存在する。携帯機器２０には例えば車両のキーなどがあるが、とくに具体例は限定されない。また、本例では、基地局１０の通信の相手方は携帯機器であるが、携帯機器には限定されず、一般的な送受信装置でよい。
【００３０】
基地局１０は、制御部１１と、制御部１１に接続された送信部１２と受信部１５とを有する。送信部１２はループコイルで形成された第一の送信アンテナ１３と第二の送信アンテナ１４に接続されている。図において、第一の送信アンテナ１３はコイルが左右方向に巻かれ、第二の送信アンテナ１４はコイルが紙面に垂直方向に巻かれている。これは二つの送信アンテナの指向性、特に通信相手の携帯機器２０に対する相対的な指向性が異なることを示している。ただし、二つの送信アンテナの携帯機器２０に対する相対的な指向性は、アンテナの設置場所が違えば異なることとなるため、コイルの巻き方を異ならせることは必須ではなく、互いの指向性が異なればよい。また、本実施形態では指向性の違いは必須ではない。
【００３１】
携帯機器２０との通信を行う場合、基地局１０は、ウェイクコード信号とバースト信号とを含み、携帯機器２０からの回答を要求する要求信号を送信アンテナ１３もしくは１４から出力する。なお、ここでは説明の便宜上、２つのアンテナを用いて説明するが、実際にはアンテナを３個以上用いても良い。
【００３２】
受信部１５は受信アンテナ１６と接続され、この受信アンテナ１６を介して携帯機器２０からの信号を受信する。
【００３３】
後述するように、制御部１１は、少なくともバースト信号及び当該バースト信号に続くウェイクコード信号を含む要求信号を送信部１２及び送信アンテナ１３もしくは１４を介して出力するように制御する。当該要求信号は、基地局１０が携帯端末２０を認証するための信号であり、携帯端末２０は要求信号のウェイクコード信号の内容に応じて、種々の異なるモードに移行する。また、基地局１０からの判定結果を受信部１５と受信部１５に接続された受信アンテナ１６を用いて受信し、その結果に応じてその後の制御を変える。
【００３４】
バースト信号は、電源がオンとなっているが受信部２２は特に動作していない、いわばスリープモード（待ち受け状態）にある携帯機器２０の回路動作、特に受信部２２を起動するための信号であり、携帯機器２０を動作モードに移行させるものである。バースト信号はコードを含まず、何ら変調されていない。バースト信号は例えば２ｍｓ以上の連続したオン信号より構成され、電磁誘導などの作用により受信部２２を構成する回路に起動電力を発生させるものであるが、特にその形式は限定されない。
【００３５】
ウェイクコード信号は、バースト信号の後に発信されるコード信号であり、意味のあるコードを含むものである。バースト信号とウェイクコード信号により、携帯機器２からの何らかの回答を要求する要求信号が構成される。ウェイクコード信号は、例えば１５０μｓのオン信号が“ｂｉｔ０”、３００μｓのオン信号が“ｂｉｔ１”を示すという信号から構成される。携帯機器２０の受信部２２は、ウェイクコード信号のコードの意味を判定し、その後の動作の継続の可否を決定する。すなわち、ウェイクコード信号は受信部２２の判定動作を開始させる信号である。本例では、ウェイクコード信号は１２５ｋＨｚ帯のＡＭ変調された信号よりなるが、周波数帯、変調方式は特に限定されるものではない。
【００３６】
一方、携帯機器２０は制御部２１と、受信部２２と、受信部２２に接続された受信アンテナ２３及び受信アンテナ２４と、送信部２５と、送信部２５に接続されたアンテナ２６とを有する。
【００３７】
基地局１０の送信アンテナ１３もしくはアンテナ１４から送信された要求信号は、受信アンテナ２３及び２４で受信する。受信アンテナ２３及び２４はループコイルで形成されており、要求信号を受信すると受信した電界強度に応じて誘起電圧が発生し受信部２２に入力される。受信アンテナ２３及び２４の指向性も、第一の送信アンテナ１３と第二の送信アンテナ１４と同様異なったものとなっているが、本実施形態では必須ではない。
【００３８】
受信部２２は、受信信号レベルに応じて受信アンテナ２３もしくは２４の何れかを有効にするアンテナ切り替え部２２１と、受信したＡＭ変調された要求信号をデジタル信号に復調する復調部２２２と、復調部２２２で復調されたデジタル信号と所定のコードと合致するかどうかを判定し、合致した場合は判定結果通知信号を制御部２１に送信するウェイクコード信号判定部２２３とを有する。
【００３９】
制御部２１は、ウェイクコード信号判定部２２３からの判定結果通知信号に応じて、送信部２５及び送信部２５に接続された送信アンテナ２６を介して、例えば、３００ＭＨｚ帯の電波を用いて返答信号を基地局１０に送信する。
【００４０】
図２は本実施の形態における要求信号及びノイズ源３０からのノイズ信号の波形であり、ここでは携帯機器２０の受信アンテナ２３，２４の受信波形として説明する。
【００４１】
図２において、（ａ）は本実施の形態における要求信号Ｓ１を受信した時の誘起電圧波形を示す図であり、（ｂ）はノイズ信号Ｓ２を受信した時のノイズ波形の一例を示す図であり、（ｃ）はノイズ環境下（Ｓ２の受信下）で要求信号Ｓ１を受信した時の誘起電圧波形Ｓ３を示す図である。 また、（ｄ）は従来の要求信号Ｓ４を受信した時の誘起電圧波形を示す図であり、（ｅ）は従来の通信システムでノイズ信号Ｓ５を受信した時のノイズ波形の一例を示す図であり、（ｆ）はノイズ環境下（Ｓ５の受信下）で要求信号Ｓ４を受信した時の誘起電圧波形Ｓ６を示す図である。
【００４２】
図２（ｃ）で示されているｔ１はバースト信号５１ｇの送信時間（バースト信号送信時間）であり、ｔ３は誘起電圧波形Ｓ３の終了後、携帯端末２２が基地局１０からウェイクコード信号を受信するまで、ウェイクコード信号の受信を待ちつづける時間（ウェイクコード信号受信タイムアウト時間）であり、予め携帯機器２０に登録されている。ｔ２はウェイクコード信号５２ｇの送信時間（ウェイクコード信号送信時間）である。そして、本例ではｔ２＜ｔ３＜ｔ１の関係が成立している。また、ｔ５はウェイクコード信号受信タイムアウト時間ｔ３の経過後、バースト信号５１ｇが送信される時間である。ｔ５の長さは任意であるが、少なくともｔ５は存在しなくてはならず、ｔ５＞０である。
【００４３】
図３（ａ）は、図２における要求信号の波形を拡大して示すものであり、１２５ｋＨの変調信号である。一方、図３（ｂ）が、図２におけるノイズの波形を拡大して示すものであり、周波数不定のランダム信号である。
【００４４】
ここで、携帯端末２０が、ノイズ環境下で基地局１０からの要求信号を受信する場合の状況について、従来の信号である図２の（ｄ）、（ｅ）、（ｆ）を想定する。この場合、まず携帯端末２０の受信部２２が、ノイズ信号Ｓ５を要求信号（バースト信号）として受信する。例えば、受信部２２の受信アンテナ２３が送信アンテナ１３と対向するような配置になっており、受信アンテナ２４がノイズ源３０と対向するような配置になっている場合、アンテナ切替部２２１は、受信信号レベルの大きい受信アンテナ２４を選択し、受信部２２はノイズ信号Ｓ５を受信する。以下、受信アンテナ２４が選択されたものとして説明する。
【００４５】
このとき、受信部２２は信号の長い部分５４ｂをバースト信号と認識して動作を開始し、当該部分５４ｂの終了後の信号部分５５ｂの期間及びその後、ウェイクコード信号の受信判定を行うこととなる。そして、その期間に正規のバースト信号５１ａが送信されても、受信部２２はバースト信号５１ｂをウェイクコード信号の一部と認識して処理するため、例え要求信号Ｓ４の誘起電圧がノイズ信号Ｓ５の誘起電圧よりはるかに高い場合でも通信エラーと判定することになる。
【００４６】
そこで、本実施の形態では要求信号Ｓ１に示すように、バースト信号の送信時間ｔ１を、従来のバースト信号の送信時間ｔ４（図２（ｆ））よりも長くし、バースト信号の送信時間ｔ１の途中において、ウェイクコード信号受信タイムアウト時間ｔ３が満了する構成となっている。特にバースト信号の送信時間ｔ１が、ウェイクコード信号の受信待ち時間であるタイムアウト時間ｔ３より長く設定されている。
【００４７】
この時、携帯機器２０が要求信号Ｓ１とノイズ信号Ｓ２を受信した場合のアンテナ２４の誘起電圧波形はＳ３のようになる。この時、受信部２２は信号の長い部分５４ｄをバースト信号とみなして動作を開始する（バースト信号の受信開始；バースト信号の受信モード）。そして、信号部分５４ｄの終了（オフ）を検出してウェイクコード信号受信処理（ウェイクコード信号の受信モード）に移行し、その後の信号部分５５ｄの期間以後、ウェイクコード信号の受信完了の判定を行う。そして、アンテナ２４は途中からバースト信号５１ｄを受信するが、バースト信号５１ｄは、ウェイクコード信号判定部２２３によりコードとして判定されない。従って、ウェイクコード信号判定部２２３はウェイクコード信号受信タイムアウト時間ｔ３内にウェイクコード受信を完了できず、受信部２２はバースト信号待ち受け状態に戻る。
【００４８】
一方、携帯機器２０はバースト信号５１ｄを継続して受信するため、バースト信号期間５１ｄの残りの期間ｔ５の間で受信部２２が再度受信動作を開始し、バースト信号受信中断待ちの処理を実行し、ウェイクコード信号５２ｄの先頭でバースト信号受信中断を検出し、ウェイクコード信号５２ｄを正しく受信できる。
【００４９】
以上のように構成された通信システムについて、図４を用いてその動作を説明する。
【００５０】
まず、携帯機器２０は、バースト信号待ち受け状態で待機する（ステップＳ３０１）。 ここで、携帯機器２０の受信部２２が基地局１０からの要求信号があるかを判断し、基地局１０からの要求信号がないと判定した場合（ステップＳ３０１；ＮＯ）、ステップＳ３０１を繰り返し実行し、基地局１０からの要求信号を待つ。
【００５１】
一方、ステップＳ３０１において、受信部２２が基地局１０からの要求信号を受信したと判定した場合（ステップＳ３０１；ＹＥＳ）、バースト信号の受信を開始する（ステップＳ３０２）。ここで、最初の判定では、携帯機器２０は図２（ｃ）に示されたノイズ信号Ｓ３の最初の５４ｄ部分をバースト信号として判定し、バースト信号の受信を開始する。
【００５２】
受信部２２にはＡＧＣ（自動ゲイン制御：Automatic Gain Control）回路が含まれており、受信部２２のアンテナ切り換え部２２１は、受信アンテナ２３と受信アンテナ２４とを切り換え、それぞれの信号レベルを検出し、信号レベルの高い方のアンテナを選択する（ステップＳ３０３）。ここでは、上述したように最初のバースト信号の受信は、レベルが比較的に高いノイズ信号に対して受信したので、このノイズ信号を受信する受信アンテナ（第２の受信アンテナ）２４を選択する。
【００５３】
その後、受信部２２はバースト信号が中断したかを判断し（ステップＳ３０４）、バースト信号が中断していないと判定した場合（ステップＳ３０４；ＮＯ）、ステップＳ３０４を繰り返し実行し、バースト信号の中断を待つ。ここで、バースト信号の送信時間ｔ１は、受信部２２がバースト信号の受信を開始してから、ＡＧＣ動作、アンテナ選択を完了するまでの時間以上であればよく、例えば２ｍｓ以上の連続した送信信号である。
【００５４】
一方、ステップＳ３０４において、バースト信号が中断したと判定した場合、受信部２２の復調回路２２２が、バースト信号に続いて入力された信号５５ｄを１／０のビットデータ列に変換し、ウェイクコード信号として受信する（ステップＳ３０５）。そして、ウェイクコード信号判定部２２３がウェイクコード信号の受信が完了したかを判断し（ステップＳ３０６）、ウェイクコード信号の受信が完了していないと判定した場合（ステップＳ３０６；ＮＯ）、所定のタイムアウト時間を経過したかを判断し（ステップＳ３０７）、所定のタイムアウト時間を経過していないと判定した場合（ステップＳ３０７；ＮＯ）、ステップＳ３０５に戻り、受信部２２は引き続きウェイクコード信号を受信する。
【００５５】
そして、再度ウェイクコード信号判定部２２３は、ウェイクコード信号の受信が完了したかを判定する（ステップＳ３０６）。この場合において、たとえ途中から、受信部２２の受信アンテナ２３が、基地局１０の送信アンテナ１３から正規のバースト信号５１ｄを受信しても、バースト信号５１ｄは、ウェイクコード信号の受信モード下にあるウェイクコード信号判定部２２３によりコードとして判定できず、ステップＳ３０６の判断はＮＯとなる。そして、さらにウェイクコード信号判定部２２３は、所定のタイムアウト時間を経過したかを判断し（ステップＳ３０７）、ウェイクコード信号受信タイムアウト時間ｔ３内にウェイクコード信号の受信を完了できない場合、所定のタイムアウト時間を経過したと判定し（ステップＳ３０７；ＹＥＳ）、受信エラーと判定してステップＳ３０１に戻り、バースト信号待ち受け状態で待機する。ここで、受信部２２のウェイクコード信号判定部２２３がウェイクコードを判定することで、携帯機器２０がノイズ信号Ｓ２を受信し、信号の長い部分５４ｄをバースト信号と認識して動作を開始した場合でも、その後の信号部分５５ｄがウェイクコードと合致しないため、制御回路２１は動作せず、誤動作防止及び消費電流低減を図っている。
【００５６】
再度ステップＳ３０１に戻った後、携帯機器２０の受信アンテナ２３が、基地局１０の送信アンテナ１３から引き続きバースト信号５１ｄを受信するため、バースト信号期間５１ｄの残りの期間ｔ５の間で受信部２２が再度受信動作を開始し（ステップＳ３０２）、アンテナ切り換え部２２１が受信アンテナ２３と受信アンテナ２４とを切り換え、それぞれの信号レベルを検出し、信号レベルの高い方のアンテナを選択する（ステップＳ３０３）。ここでは、上述したように受信アンテナ２３が比較的にレベルの高いバースト信号５１ｄを受信したので、この受信アンテナ２３（第１の受信アンテナ）が選択される。
【００５７】
その後、受信部２２はバースト信号が中断したかを判断し（ステップＳ３０４）、バースト信号が中断していないと判定した場合（ステップＳ３０４；ＮＯ）、ステップＳ３０４を繰り返し実行し、バースト信号の中断を待つ。
【００５８】
一方、ステップＳ３０４において、受信部２２がバースト信号が中断したと判定した場合（ステップＳ３０４；ＹＥＳ）、受信部２２はバースト信号に続いて入力された要求信号のうちの前半部分であるウェイクコード信号５２ｄを受信する（ステップＳ３０５）。ここで、復調部２２２がウェイクコード５２ｄを復調部２２２が１／０のビットデータ列に変換し、ウェイクコード信号判定部２２３がウェイクコード５２ｄを判定する。本実施形態では、短いパルス（例えば０．５ｍｓ以下）をビット０、長いパルス（例えば０．５ｍｓ以上）をビット１と判定している。
【００５９】
ウェイクコード信号判定部２２３がウェイクコード信号の受信が完了したかを判断し（ステップＳ３０６）、ウェイクコード信号の受信が完了していないと判定した場合（ステップＳ３０６；ＮＯ）、所定のタイムアウト時間を経過したかを判断し（ステップＳ３０７）、所定のタイムアウト時間を経過していないと判定した場合（ステップＳ３０７；ＮＯ）、ステップＳ３０５に戻り、引き続きウェイクコード信号を受信する。ここで、ウェイクコード信号判定部２２３は所定のビット数を受信したかを判定することにより、ウェイクコード信号の受信が完了したかを判断する。
【００６０】
一方、ステップＳ３０７において、ウェイクコード信号判定部２２３が所定のタイムアウト時間を経過したと判定した場合（ステップＳ３０７；ＹＥＳ）、所定のタイムアウト時間を経過しても受信が完了できなく、受信エラーと判定してステップＳ３０１に戻り、バースト信号待ち受け状態で待機する。
【００６１】
また、ステップＳ３０６において、ウェイクコード信号判定部２２３が所定のビット数を受信したと判定した場合（ステップＳ３０６；ＹＥＳ）、ウェイクコード信号の受信が完了したとみなし、ウェイクコード信号判定部２２３は受信したウェイクコードが正規のコードであるかを判断し（ステップＳ３０８）、受信したウェイクコードが正規のコードではないと判定した場合（ステップＳ３０８；ＮＯ）、ステップＳ３０１に戻り、バースト信号待ち受け状態で待機する。ここで、ウェイクコード信号５２ｄの先頭でバースト信号受信中断を検出し、ウェイクコード信号５２ｄを受信したので、ウェイクコード信号を正しく受信することができる。
【００６２】
一方、ステップＳ３０８において、受信したウェイクコードが正規のコードであると判定した場合（ステップＳ３０８；ＹＥＳ）、ウェイクコード信号判定部２２３が判定結果を制御部２１に通知し（ステップＳ３０９）、制御部２１は、通知信号の受信を契機に駆動を開始し、ウェイクコード信号５２ｆの後のコード信号５３ｄを受信判定し、判定結果に応じて送信部２５を介して基地局１０に返答信号を送信する（ステップＳ３１０）。そして、処理が終了する。
【００６３】
このように、本発明においては、バースト信号送信時間ｔ１をウェイクコード受信待ちタイムアウト時間ｔ３より長くすることとしている（ｔ３＜ｔ１）。従って、ノイズにより携帯機器２０の受信部２２が動作を開始しても、バースト信号送信時間ｔ１期間内にウェイクコード信号判定処理を一旦終了し、再度バースト信号受信を開始し、受信信号レベルの大きなアンテナを選択できるので、ノイズ環境下での誤動作を防止することができる。尚、図２では、バースト信号送信時間ｔ１の始点より、ウェイクコード受信待ちタイムアウト時間ｔ３の始点が先になっている。ただし、ウェイクコード信号のタイムアウト時間をカウントし始めるのは、正規のバースト信号の受信開始より必ず先であるため、バースト信号送信時間ｔ１をウェイクコード受信待ちタイムアウト時間ｔ３より長くすることにより、正規のバースト信号の受信の途中で、必ずタイムアウトが生ずることとなる。
【００６４】
また、ウェイクコード受信待ちタイムアウト時間ｔ３は、ウェイクコード信号の総てを受信する前に満了してしまってはいけない。従って、ウェイクコード受信待ちタイムアウト時間ｔ３は、少なくともウェイクコード信号送信時間ｔ２より長くなくてはならない。従って、ｔ２＜ｔ３の関係が成立する。
【００６５】
また、本実施の形態では受信部２２がバースト信号の受信が中断するまで待ち続けるので、バースト信号をさらに長くしてもよく、バースト信号送信時間ｔ１をウェイクコード受信待ちタイムアウト時間ｔ３＋ＡＧＣ動作時間（アンテナ選択に要する時間）、とすればより確実にノイズ環境下で正しく動作するようになる。
【００６６】
なお、以上の説明では、基地局側及び携帯機器側がそれぞれアンテナ２個を持つ例について説明したが、基地局側及び携帯機器側がそれぞれアンテナ１個を持っても同様に実施可能である。
【００６７】
（第２の実施形態）
本実施形態は、毎回長いバースト信号を送信することによる回路への負担増大を軽減するため、最初に従来のような短いバースト信号で通信を行い、通信が成立しなかったときのみ、バースト信号を長くする例である。
【００６８】
本実施形態の通信システムの構成は、図１に示す第１の実施形態と同様であり、その説明を省略する。
【００６９】
本実施形態の通信システムについて、図５を用いてその動作を説明する。ここで、主に基地局１０側の動作について説明する。携帯端末２０側の動作は基本的に第１の実施形態で説明したものと同様である。
【００７０】
まず基地局１０は、従来の様にバースト信号の送信時間がウェイクコード信号の送信時間よりも短い第２の要求信号を送信し（ステップＳ４０１）、携帯機器２０からの返答信号を受信したかを判断する（ステップＳ４０２）。第２の要求信号の送信時間は、例えば図２（ｆ）に示したｔ４でもよい。基地局１０は返答信号を受信していないと判定した場合（ステップＳ４０２；ＮＯ）、所定の時間が経過したかを判断し（ステップＳ４０３）、所定の時間が経過していないと判定した場合（ステップＳ４０３；ＮＯ）、ステップＳ４０２に戻り、再度携帯機器２０からの返答信号を受信したかを判断する。ここで、携帯機器２０が基地局１０からの要求信号を正しく受信できた場合、基地局１０へ返答信号を送出するので、基地局１０はこの返答信号を受信できた否かにより、携帯機器２０が要求信号を正しく受信できたかを判断する。
【００７１】
一方、ステップＳ４０２において、基地局１０が携帯機器２０からの返答信号を受信したと判定した場合（ステップＳ４０２；ＹＥＳ）、携帯機器２０が要求信号を正しく受信できたと判定し、要求信号の送信間隔である所定の時間が経過したかを判断し（ステップＳ４０５）、要求信号の送信間隔である所定の時間が経過していないと判定した場合（ステップＳ４０５；ＮＯ）、ステップＳ４０５を繰り返し実行し、所定の時間の経過を待つ。
【００７２】
一方、ステップＳ４０５において、要求信号の送信間隔である所定の時間が経過したと判定した場合（ステップＳ４０５；ＹＥＳ）、ステップＳ４０１に戻り、再度第２の要求信号を送信する。
【００７３】
また、ステップＳ４０３において、所定の時間が経過したと判定した場合（ステップＳ４０３；ＹＥＳ）、基地局１０は、所定の時間が経過しても携帯機器２０が基地局１０からの要求信号を正しく受信できなかったとみなして、第１の要求信号を送信する（ステップＳ４０４）。このとき送信したのは、バースト信号の送信時間がウェイクコード信号の送信時間よりも長い第１の要求信号であり、例えば第１の実施形態で説明した送信時間ｔ１のバースト信号であってもよい。
【００７４】
基地局１０が第１の要求信号を送信した後、要求信号の送信間隔である所定の時間が経過したかを判断し（ステップＳ４０５）、要求信号の送信間隔である所定の時間が経過していないと判定した場合（ステップＳ４０５；ＮＯ）、ステップＳ４０５を繰り返し実行し、所定の時間の経過を待つ。
【００７５】
一方、ステップＳ４０５において、要求信号の送信間隔である所定の時間が経過したと判定した場合（ステップＳ４０５；ＹＥＳ）、ステップＳ４０１に戻り、再度第２の要求信号を送信する。
【００７６】
このように、基地局が最初に短いバースト信号で通信を行い、所定の時間が経過しても返答信号を受信できなかった場合のみ、バースト信号を長くした要求信号を送信する。これによって、ノイズが少ない環境下では高速かつ少ない電力で動作し、ノイズが大きい環境化でバースト信号を長くした要求信号を送信し、ノイズが大きい環境下でも確実に誤動作を防止することができる。
【００７７】
本発明は、例えば車両用遠隔制御装置など、外来ノイズの影響を受けやすい基地局と携帯機器との通信システムに有用であるが、特に応用例は限定されるものではない。
【００７８】
本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００７９】
以上のように、本発明にかかる通信システムによれば、外来ノイズがある場合でも、携帯端末において正規の要求信号を正しく判定することを可能にする。
【図面の簡単な説明】
【００８０】
【図１】本発明の第１の実施形態の通信システムのブロック図
【図２】本発明の第１の実施形態における要求信号及びノイズの波形を示す図
【図３】図２における要求信号及びノイズ信号を拡大した様子を示す図
【図４】本発明の第１の実施形態における通信システムの携帯機器の動作を説明するためのフロー図
【図５】本発明の第２の実施形態における通信システムの基地局の動作を説明するためのフロー図
【符号の説明】
【００８１】
１  通信システム
１０  基地局
１１，２１  制御部
１２，２５  送信部
１３，１４，２６  送信アンテナ
１５，２２  受信部
１６，２３，２４  受信アンテナ  
２０  携帯機器
３０  ノイズ源
２２１  アンテナ切り換え部
２２２  復調部
２２３  ウェイクコード信号判定部
【図１】
2008211574.tif 000003
【図３】
2008211574.tif 000004
【図４】
2008211574.tif 000005
【図５】
2008211574.tif 000006
【図２】
2008211574.tif 000007